(57)【要約】  廃棄物処理デバイス（２２）のためのカセット（２０）を所定長さの管状ライナーフィルム（４４）を有して提供する。カセット（２０）は、中央通路（４８）を有する。中央通路（４８）は、形状を構成する前縁（５８）、後縁（６０）、第１の側縁（６２）、及び第２の側縁（６４）と、幅方向軸線（６６）及び深さ方向軸線（６８）とを有する。深さ方向軸線（６８）及び幅方向軸線（６６）は、交差して各軸線の２つのセグメントを形成する。【選択図】図４
2019508344.tif 000002
【特許請求の範囲】
【請求項１】
廃棄物処理デバイスのためのフィルム分注カセットであって、
所定長さのライナーフィルムを閉じ込めるためのライナー空洞と、
前記ライナー空洞によって取り囲まれた中央通路と、
を含み、
前記中央通路は、前縁と、後縁と、第１の側縁と、第２の側縁と、深さ方向軸線に対して垂直な幅方向軸線とを有し、
前記幅方向軸線は、前記第１及び第２の側縁間を最大距離Ａで延び、前記深さ方向軸線は、前記前縁と前記後縁間を最大距離Ｂで延び、Ｂは、Ａよりも大きく、
前記幅方向軸線は、距離Ｃだけ前記前縁から分離され、前記幅方向軸線は、距離Ｄだけ前記後縁から分離され、Ｄは、Ｃよりも大きい、
ことを特徴とするフィルム分注カセット。
【請求項２】
前記カセットは、ほぼ卵形状であることを特徴とする請求項１に記載のカセット。
【請求項３】
カセットの前記中央通路は、ほぼ卵形状であることを特徴とする請求項１に記載のカセット。
【請求項４】
前記深さ方向軸線に対して対称であることを特徴とする請求項１に記載のカセット。
【請求項５】
外壁を更に含み、前記ライナー空洞が外壁の内部であることを特徴とする請求項１に記載のカセット。
【請求項６】
前記中央通路は、外壁に対してオフセットしていることを特徴とする請求項１に記載のカセット。
【請求項７】
前記ライナー空洞の少なくとも一部分を覆い、それによって前記ライナーフィルムを少なくとも部分的に閉じ込める上部パネルを更に含むことを特徴とする請求項１に記載のカセット。
【請求項８】
前記上部パネルは、取り出し部分を含むことを特徴とする請求項８に記載のカセット。
【請求項９】
廃棄物処理デバイスのためのカセットであって、
廃棄物を閉じ込めて格納するのに使用するための所定長さのライナーフィルムと、
廃棄物が前記長さのライナーフィルムを通過してその中に入るための中央通路であって、前縁と、後縁と、第１の側縁と、第２の側縁と、深さ方向軸線に対して垂直な幅方向軸線とを有する前記中央通路を構成する内側縁部と、
を含み、
前記幅方向軸線は、前記第１及び第２の側縁間を最大距離Ａで延び、前記深さ方向軸線は、前記前縁と前記後縁間を最大距離Ｂで延び、Ｂは、Ａよりも大きく、
前記幅方向軸線は、距離Ｃだけ前記前縁から分離され、前記幅方向軸線は、距離Ｄだけ前記後縁から分離され、Ｄは、Ｃよりも大きい、
ことを特徴とするカセット。
【請求項１０】
前記カセットは、ほぼ卵形状であることを特徴とする請求項９に記載のカセット。
【請求項１１】
カセットの前記中央通路は、ほぼ卵形状であることを特徴とする請求項９に記載のカセット。
【請求項１２】
前記深さ方向軸線に対して対称であることを特徴とする請求項９に記載のカセット。
【請求項１３】
廃棄物処理デバイスのためのカセットであって、
廃棄物を閉じ込めて格納するのに使用するための所定長さのライナーフィルムと、
廃棄物が前記長さのライナーフィルムを通過してその中に入るための中央通路を構成する内側縁部と、
前縁と、後縁と、第１の側縁と、第２の側縁と、深さ方向軸線に対して垂直な幅方向軸線とを有する外側縁部と、
を含み、
前記幅方向軸線は、前記第１及び第２の側縁間を最大距離Ａで延び、前記深さ方向軸線は、前記前縁と前記後縁間を最大距離Ｂで延び、Ｂは、Ａよりも大きく、
前記幅方向軸線は、距離Ｃだけ前記前縁から分離され、前記幅方向軸線は、距離Ｄだけ前記後縁から分離され、Ｄは、Ｃよりも大きい、
ことを特徴とするカセット。
【請求項１４】
前記カセットは、ほぼ卵形状であることを特徴とする請求項１３に記載のカセット。
【請求項１５】
カセットの前記外側縁部は、ほぼ卵形状であることを特徴とする請求項１３に記載のカセット。
【請求項１６】
カセットの前記内側縁部は、ほぼ卵形状であることを特徴とする請求項１３に記載のカセット。
【請求項１７】
前記深さ方向軸線に対して対称であることを特徴とする請求項１３に記載のカセット。
【請求項１８】
廃棄物処理デバイスのためのカセットであって、
廃棄物を閉じ込めて格納するのに使用するための所定長さのライナーフィルムと、
廃棄物が前記長さのライナーフィルムを通過してその中に入るための中央通路であって、前縁と、後縁と、第１の側縁と、第２の側縁と、深さ方向軸線に対して垂直な幅方向軸線とを有する前記中央通路を構成する内側縁部と、
を含み、
前記幅方向軸線は、前記第１及び第２の側縁間を最大距離Ａで延び、前記深さ方向軸線は、前記前縁と前記後縁間を最大距離Ｂで延び、Ｂは、Ａよりも大きく、
前記幅方向軸線は、距離Ｃだけ前記前縁から分離され、前記幅方向軸線は、距離Ｄだけ前記後縁から分離され、Ｄは、Ｃよりも大きい、
ことを特徴とするカセット。
【請求項１９】
カセットの前記中央通路は、ほぼ卵形状であることを特徴とする請求項１８に記載のカセット。
【請求項２０】
前記深さ方向軸線に対して対称であることを特徴とする請求項１８から請求項１９のいずれか１項に記載のカセット。
【請求項２１】
前記中央通路の外部のかつそれを取り囲むライナー空洞を更に含むことを特徴とする請求項１８から請求項２０のいずれか１項に記載のカセット。
【請求項２２】
前記カセットは、ほぼ卵形状であることを特徴とする請求項１８から請求項２１のいずれか１項に記載のカセット。
【請求項２３】
カセットの前記中央通路は、ほぼ卵形状であることを特徴とする請求項１８から請求項２２のいずれか１項に記載のカセット。
【請求項２４】
前記深さ方向軸線に対して対称であることを特徴とする請求項１８から請求項２３のいずれか１項に記載のカセット。
【請求項２５】
外壁を更に含み、ライナー空洞が外壁の内部であることを特徴とする請求項１８から請求項２４のいずれか１項に記載のカセット。
【請求項２６】
前記中央通路は、外壁に対してオフセットしていることを特徴とする請求項１８から請求項２５のいずれか１項に記載のカセット。
【請求項２７】
ライナー空洞の少なくとも一部分を覆い、それによって前記ライナーフィルムを少なくとも部分的に閉じ込める上部パネルを更に含むことを特徴とする請求項１８から請求項２６のいずれか１項に記載のカセット。
【請求項２８】
上部パネルは、取り出し部分を含むことを特徴とする請求項１８から請求項２７のいずれか１項に記載のカセット。
【発明の詳細な説明】
【技術分野】
【０００１】
〔関連出願への相互参照〕
この出願は、本明細書にその全体が組み込まれている２０１６年１月２８日出願の米国仮特許出願第６２／２８８，０４６号に対する優先権を主張するものである。
【０００２】
本発明の開示は、一般的に、使い捨て材料又は物体を管状可撓性プラスチックフィルム材料の中にパッケージ化するための装置に関し、特に、管状可撓性プラスチックフィルム材料を提供するためのカセットに関する。
【背景技術】
【０００３】
カセットを含む廃棄物処理デバイスは、おむつ及びごみのような悪臭廃棄物を捨てるのに一般的に使用される。そのような廃棄物処理デバイスでは、カセットは、ビンの開口部において支持され、かつ管状フィルムの長さを有する及び／又は廃棄物処理デバイスのビンの内側空洞の中に突き出る管状フィルムを分注する。管状フィルムの自由端は、バッグ状構造を構成するように閉じることができる。多くの場合に、廃棄物処理デバイスは、バッグを完全に閉じる内部機構（例えば、締め付け、捩りなど）を含み、それによって内部機構の下のバッグ内の廃棄物を隔離し、かつバッグ内の匂いを捕捉する。
【先行技術文献】
【特許文献】
【０００４】
【特許文献１】米国特許出願公開第２００８／０２７２４１０号明細書
【発明の概要】
【発明が解決しようとする課題】
【０００５】
しかし、カセットは、消費者にとって高価であり、従って、例えば廃棄物処理デバイスの既存のフォーマットに適合するようにカセットの寸法を大幅に増大させることなくカセット当たりの管状フィルムの量を増大することが望ましい。類似の寸法に対してカセット当たりのバッグの量を増大することにより、搬送コスト及び在庫コストを低減することもできる。カセットの寸法を大幅に変えることなくカセットの形状を修正することにより、廃棄物の挿入中に更に別の利益を提供することができる。
【課題を解決するための手段】
【０００６】
本発明の開示の態様によれば、廃棄物処理デバイスのためのカセットが提供される。中央通路を構成するカセットは、前縁と、後縁と、第１の側縁と、第２の側縁と、深さ方向軸線に対して垂直な幅方向軸線とを有する周囲を有する。幅方向軸線は、第１及び第２の側縁間を最大距離Ａに延び、深さ方向軸線は、前縁及び後縁間を最大距離Ｂに延び、Ｂは、Ａよりも大きい。幅方向軸線は、距離Ｃだけ前縁から分離され、幅方向軸線は、距離Ｄだけ後縁から分離され、Ｄは、Ｃよりも大きい。カセットは、空洞が中央通路の外部であるように中央通路によって構成されたライナー空洞を有する。これに代えて、カセットは、カセットに取り付け可能なフィルムの長さを有する。或る実施形態では、フィルムは、それが中央通路から延びるように取り付けられる。
【０００７】
本発明の開示の別の態様によれば、廃棄物処理デバイスのためのカセットを提供される。カセットは、廃棄物処理デバイスにインタフェースで接続する周囲を有する外側縁部を有する。中央通路は、前縁、後縁、第１の側縁、第２の側縁、深さ方向軸線に対して垂直な幅方向軸線を有する。幅方向軸線は、第１及び第２の側縁間を最大距離Ａに延び、深さ方向軸線は、前縁及び後縁間を最大距離Ｂに延び、Ｂは、Ａよりも大きい。幅方向軸線は、距離Ｃだけ前縁から分離され、幅方向軸線は、距離Ｄだけ後縁から分離され、Ｄは、Ｃよりも大きい。カセットは、空洞が中央通路の内部であるように外側縁部によって構成されたライナー空洞を有する。これに代えて、カセットは、カセットに取り付け可能なフィルムの長さを有する。或る実施形態では、フィルムは、それが外側縁部から延びるように取り付けられる。
【０００８】
本発明の開示の更に別の態様では、廃棄物処理デバイスのためのカセットは、外側縁部及び内側縁部の両方を含み、内側縁部は、中央通路を構成する。或る実施形態では、外側縁部及び中央通路は、折畳み又はひだ付け方式でフィルムを格納するライナー空洞の周囲を構成する。更に別の実施形態では、外側縁部及び／又は中央通路は、壁のような面を構成し、又は僅少よりも大きい厚みを有することができる。更に別の実施形態では、縁部は、上面縁部とすることができる。本発明の開示は、態様によって含むことができる要素又は特徴を含む態様及びそれらの態様の実施形態に関して本明細書に説明する。識別する実施形態は、「発明を実施するための形態」に以下で本明細書に説明するように単独で又は他の識別する実施形態のいずれかとの組合せで本発明の態様によって含めることができる。本発明の特徴及び利点は、以下に提供して添付図面に例示するような本発明の詳細説明に照らして明らかになるであろう。
【図面の簡単な説明】
【０００９】
【図１】廃棄物処理デバイスの側面斜視図である。
【図２】部分開放位置まで回転した正面ビンを示す廃棄物処理デバイスの側面斜視図である。
【図３】開放位置まで回転した蓋を示す廃棄物処理デバイスの正面斜視図である。
【図４】ライナーフィルムなしのカセット実施形態の概略斜視図である。
【図５】ライナーフィルムのセグメントがライナー空洞から出てカセットの中央通路を通って引き出されたカセットの概略斜視図である。
【図６】ライナーフィルムのセグメントがライナー空洞から出てカセットの中央通路を通って引き出されたカセットの断面概略図である。
【図７】ライナーフィルムなしのカセット実施形態の概略斜視図である。
【図８】ライナーフィルムのセグメントがライナー空洞から出てカセットの中央通路を通って引き出されたカセットの断面概略図である。
【図９】カセット実施形態の概略断面図である。
【図１０】カセット実施形態の概略断面図である。
【図１１】カセット実施形態の概略断面図である。
【図１２】カセット中央通路形状実施形態の概略図である。
【図１３】カセット中央通路形状実施形態の概略図である。
【図１４】カセット中央通路形状実施形態の概略図である。
【図１５】排出物が通路に廃棄されたカセット中央通路の概略図である。
【図１６Ａ】フィルムシールを有するカセット実施形態の断面概略図である。
【図１６Ｂ】フィルムシールを有するカセット実施形態の断面概略図である。
【発明を実施するための形態】
【００１０】
ここで図面を参照して、廃棄物処理デバイス２２（図１〜３を参照）に使用するためのカセット２０（図４〜６を参照）を提供する。「カセット」２０は、フィルムが少なくとも部分的にカセット内に格納されて及び／又はカセットに取り付けられてバッグ状構造を形成する実施形態を含む複数の実施形態のいずれかとして定義される。カセット実施形態の全ては、廃棄物が通過する中央通路４２を含んでいる。廃棄物処理デバイス２２及びカセット２０は、あらゆるタイプの廃棄品目を格納するために使用することができるが、おむつの処理に良好に適している。本発明のカセット２０は、様々な異なるタイプの廃棄物処理デバイスと共に使用することができ、従って、あらゆる特定のタイプの廃棄物処理デバイスに限定されない。本発明のカセット２０の説明を容易にするために、本発明のカセット２０を使用することができる廃棄物処理デバイス２２の例示的かつ非限定的実施形態を以下に提供する。
【００１１】
廃棄物処理デバイス２２は、ハウジング２４、ビン２６、蓋２８、及び足踏みペダル３０を含んでいる。他の実施形態では、廃棄物処理デバイス２２は、ヒンジ又はドア（図示せず）のような他のリンケージを通じた他の開放手段、又はペール（図示せず）の内側を露出する断面領域の周りの分割部を有する。本明細書での説明を容易にするために、廃棄物処理デバイス２２は、Ｘ軸線に沿って延びる幅、Ｙ軸線に沿って延びる深さ、及びＺ軸線に沿って延びる高さを有するとして本明細書に説明され、Ｘ、Ｙ、及びＺは、直交軸線である。ハウジング２４はまた、前面パネル３４と後面パネル３６の間を深さ方向に延びる２つの側面パネル３２Ａ、３２Ｂを有すると説明することができる。パネルは、接続可能又は一体的、平坦、弓形などとすることができる。ビン２６は、下端３８、上端４０（下端３８の上方に高さ方向に配置される）、及び上端４０の近くに配置されたハンドルを含んでいる。ビン２６は、閉鎖位置（例えば、図１を参照）と開放位置（例えば、図２を参照）の間で下端３８の近くに配置された幅方向に向く軸線の周りである距離をピボット回転するように構成される。ハウジング２４及びビン２６は、内側ストレージ領域４１（図２に示し、図１にハイフンでつないだ線によって図式的に示す）を構成する。ビン２６が開放位置の中に回転されると、内側ストレージ領域４１は、ユーザによってアクセス可能である。
【００１２】
足踏みペダル３０を押し下げることで、蓋２８を開かせるリンケージ（図示せず）を作動させて、カセット２０を通じて廃棄物処理デバイス２２の内側ストレージ領域４１にアクセスする。一部の廃棄物処理デバイス２２では、足踏みペダル３０を押し下げることは、廃棄物処理デバイス内の機構（例えば、ライナー締め付けアセンブリ）をそれが廃棄物を受け入れて少なくとも部分的に廃棄物を閉じ込める「開放位置」（例えば、起動状態）まで移動させる。或る実施形態では、「開放位置」は、廃棄物を廃棄物処理デバイス２２の上側部分３３の中に受け入れることを可能にすることに対応する。更に別の実施形態では、「開放位置」は、内側ストレージ領域４１内に配置されたライナーの中への廃棄物の堆積を妨げない。足踏みペダル３０が解除されると、蓋２８は自動的に閉じて機構はその正常に閉じた位置（例えば、静止状態）に戻る。開放位置及び閉鎖位置のうちの少なくとも一方では、機構は、ライナーを締め付ける（又は他に閉鎖する）（例えば、匂い発散を軽減するために）。
【００１３】
一部の廃棄物処理デバイス２２は、蓋２８の下に配置されたハウジング２４の部分（及び典型的に蓋２８の少なくとも一部分の近く）及び／又は廃棄物処理デバイス２２の上側部分３３でのカセット２０の挿入又は取り出しを可能にするように構成される。図１〜３に示す例示的実施形態は、そのような構成を有する。他の廃棄物処理デバイス２２は、ハウジング２４の前面及び／又は側面からのカセット２０の挿入又は取り出しを可能にするように構成することができる。一部の廃棄物処理デバイス２２は、廃棄物処理デバイスのＺ軸線に対して横断方向からのカセット２０の挿入又は取り出しを可能にするように構成することができる。本発明のカセット２０の実施形態は、それらの構成のいずれにも使用することができ、上述のように、本発明のカセット２０は、いずれの特定の廃棄物処理デバイス２２内の使用にも限定されない。
【００１４】
図４〜１１を参照すると、本発明のカセット２０の或る実施形態は、ライナーフィルム４４の供給を閉じ込めるためのライナー空洞４２を含んでいる。ライナー空洞４２は、単回使用に十分なライナーフィルム４４、又はこれに代えて複数の使用に十分なライナーフィルム４４、例えば、複数回カセットから内側ストレージ領域４１の底部の近くに延びるのに十分なライナーフィルムを保持するような大きさにすることができる。上述のように、本発明のカセット２０の全ての実施形態がライナー空洞４２を含むとは限らず、例えば、一部のカセット２０の実施形態は、単回使用に十分な量のライナーフィルム４４を閉じ込める（例えば、カセット２０及び／又はライナーフィルム４４の長さが充填され、充填時に廃棄物処理デバイス２２を単回廃棄する）。
【００１５】
ライナー空洞４２を含む実施形態に関して、ライナー空洞４２は、ライナーフィルム４４の供給を保持するのに十分な様々な構成を取ることができる。例えば、図４〜６に示す実施形態では、ライナー空洞４２は、内壁５０、底壁５２、及び外壁５４によって構成される。内壁５０は、外壁５４の半径方向内側に配置され、集合的に、壁５０及び５４は、環状（すなわち、リング状）であると説明することができる。底壁５２は、内壁５０と外壁５４の間を延び、例えば、内壁及び外壁５０、５４の底面縁部に又はその近くでそれらに接続する。本発明の開示は、３つの壁で形成されたライナー空洞４２に限定されず、例えば、ライナー空洞４２は、カセット２０内のライナーフィルム４４の供給を格納するのに十分な１つ又は２つの壁を有する「開放」構成を有することができ、例えば、内壁５０、底壁５２、及び外壁５４のうちの１又は２以上は、少なくとも部分的にライナー空洞４２内にライナーフィルム４４を維持するように完全に取り外すか又は不要になる場合がある。
【００１６】
内壁５０、底壁５２、外壁５４は、内壁５０の上面縁部５７と外壁５４の上面縁部５５との間を延びるライナー空洞開口部５６を有するほぼＵ字形断面（図１〜３で構成するようなＹＺ平面又はＸＺ平面で取ったスライス）を構成する。或る実施形態では、Ｕは、カセット２０が廃棄物処理デバイス２２の中に向けられる方法、カセット２０が廃棄物処理デバイス２２と相互作用し、かつ一連の運動を必要とする部分又は構成要素を有するフィルム締め付け構造のような様々な他の構造と協働する方法を支援する様々な先細部を有する及び／又は複数のファセット又は面取部を含むように修正することができる。
【００１７】
内壁５０の上面縁部５７は、外壁５４の上面縁部５５よりも高く、低く、又はそれらと同じ高さとすることができる。外壁５４の上面縁部５５よりも高い上面縁部５７を有する内壁５０は、ライナーが、内壁５０に近接及び／又は隣接しているカセットの上面から外向きにライナー空洞４２から分注される時に特に有用である場合があり、例えば、内壁５０のより高い上面縁部５７は、廃棄物が廃棄物処理デバイス２２に追加される時に支点として作用し、それによってフィルム４４にかかる張力を高めることによってライナー空洞４２内で格納されたフィルム４４を計量するのを助けることができる。同様に、より高い上面縁部５７を有する内壁５０は、１又は２以上のカセットを垂直に積み重ねる時に（例えば、カセットを積み重ねてマルチパックとして販売することができる）、内壁５０が位置合わせ特徴部として作用することを可能にすることができ、及び／又は蓋２６と嵌合して望ましくない匂いが廃棄物処理デバイス２２から逃れるのを防止するのを補助する準密封機能を提供するように構成することができる。同様に、より高い上面縁部５５を有する外壁５４も、１又は２以上のカセットを垂直に積み重ねる時に位置合わせ特徴部を提供することができ、及び／又は蓋２８と嵌合して準密封機能を提供することができる。
【００１８】
上述のライナー空洞４２の構成は、ライナー空洞４２の例（すなわち、ライナーフィルムが上部位置から出るもの）を例示するように提供されており、本発明の開示はこれに限定されない。他のライナー空洞４２の構成の例は、ライナーフィルム４４がライナー空洞４２を横方向に又は底部位置から出ることを可能にするものを含んでいる。例えば、図９は、上壁１５１、底壁５２、及び上壁及び底壁１５１、１５２の間を延びる内壁１５０によって構成されたライナー空洞４２を図式的に示している。このライナー空洞４２の構成では、ライナーフィルム４４は、横方向外向きに出て、ライナー空洞４２の上壁１５１の上でその後に中央通路４８を通じて下に引き戻される。図１０は、内壁２５０、外壁２５４、及び内壁及び外壁２５０、２５４の間を延びる上壁２５１によって構成された別のライナー空洞４２の構成を図式的に示している。このライナー空洞４２の構成では、ライナーフィルム４４は、ライナー空洞４２の底部を出て、外壁２５４の周りで引き出され、ライナー空洞４２の上壁２５１の上でその後に中央通路４８を通じて下に戻すことができる。これに代えて、ライナーフィルム４４は、ライナー空洞４２の底部を出て、中央通路４８の下の廃棄物処理デバイス２２の中に引き込むことができる。そのような構成では、カセット２０は、内壁２５０、外壁２５４、及び／又は底部のいずれかと接触してそれを支持する面の周りで廃棄物処理デバイス２２と嵌合する及び／又はそこに位置すると考えられる。図１１は、上壁３５１、底壁３５２、及びそれらの間を延びる外壁３５４によって構成されたライナー空洞４２を示している。このライナー空洞４２の構成では、ライナーフィルム４４は、横方向内向きに出て中央通路４８を通じて引き下ろされる。それらの実施形態では、部分壁又は縁部１００が、ライナーフィルムが分注される方法を調節する及び／又はライナー空洞内のストレージ容積を最大にするために存在する場合がある。或る実施形態では、部分壁又は縁部１００は、ライナーフィルム４４をそれが開口部９０を通ってライナー空洞４２を出る時に調節するように各壁から延びている。
【００１９】
上壁１５０、外壁５４、及び／又は底壁５２（及び／又はフィルムがカセット２０の本体の上及びその周りでループする場合は内壁５０）の外側縁部５５から分注されるフィルムを有する上述の実施形態は、上面がライナーフィルムによって覆われ、従って、ライナーフィルム以外のカセットの不注意に汚した部分に対してはそれを軽減し、及び／又はライナーフィルム以外のカセットの部分を汚すことなく消費者が高い精度なしでおむつを挿入することを可能にすることである。
【００２０】
フィルム４４が開口部９０を通じて内壁１５０上に（又は内壁１５０以外に）分注される実施形態は、使用するためのカセット２０及び廃棄物処理デバイス２２を準備するためにライナーフィルム４４の最も短い長さが分注されることを必要とする。これは、使用するためのカセット２０を準備するのに必要な時間量の短縮を助ける。更に、これは、ライナーフィルム４４が一杯になる時に変更する必要がある汚れたフィルムの長さの縮小を助け、それによって廃棄物を格納するのに必要なフィルム４４の量を低減する。
【００２１】
上述の壁１５１、１５２、２５０、２５４、３５１、３５２のいずれかは、他の壁に対して様々な高さの面縁部を有し、フィルム４４の分注を制御する及び／又は複数のカセットを積み重ねるための位置合わせ特徴部を定めるための支点を構成する。或る実施形態では、壁及び／又は壁の上面縁部は、開口部９０及び／又は実施形態ではライナー空洞４２に向けてフィルム４４を漏斗状にする、ライナー空洞４２を出たフィルム４４を計量するのを助ける切頭円錐状、面取り、丸い、又は尖塔形状を生成することができる。そのような形状は、フィルム４４端部が開口部の近くにないことを軽減し、従って、フィルム４４を最初に見出して使用のためにそれをライナー空洞４２から取り外す困難を回避するのを助けることができる。更に、狭められた開口部９０構成を有することで、取り出し部分８５（すなわち、引裂ストリップ、ラベル、ステッカー、収縮包装、その他）を通じて部分的に着脱可能である上部パネル８９のような追加のフィルム４４閉じ込め機構に対する必要性を低減することができる。他の実施形態では、取り出し部分８５は、最初に開口部９０を遮断することができるが、取り出し部分８５を取り外すと、開口部９０は、露出されてライナーフィルム４４をライナー空洞４２から引き抜くことを可能にする。
【００２２】
その様々な異なる実施形態では、ライナー空洞４２の断面形状（すなわち、図１〜４で構成するように、ＹＺ平面又はＸＺ平面で取ったスライス）は、カセット２０の周囲全体の周りで一貫している場合があり、又はそれは、カセット２０の周囲の周りで断面形状が異なる場合があり、例えば、ライナー空洞４２の高さ、幅、及び一般的に形状は、周囲の周りで変化する場合がある。ライナー空洞４２の断面形状が変化する実施形態では、ライナー空洞４２の断面積は、カセット２０の周囲の周りで一貫している場合がある。
【００２３】
ライナー空洞壁は、互いに対して及びカセット２０全体に対して様々な異なる構成を取ることができる。例えば、図４に示すライナー空洞４２の実施形態は、ほぼ平行である（例えば、ドラフトの有無にかかわらず）それぞれ内壁及び外壁５０、５４、並びに内壁及び外壁５０、５４にほぼ垂直に延びる底壁５２を有する。対照的に、図９〜１１に示すライナー空洞４２の実施形態は、非平行な壁を示している（例えば、壁は、ドラフトを超えて傾斜している）。他の実施形態では、ライナー空洞壁は、凸面及び／又は凹面を生成するように相対的に向けることができる。そのような面は、カセット２０を廃棄物処理デバイス２２内にどのように挿入すべきかをユーザが正確に識別する（例えば、廃棄物処理デバイス２２内の構造と嵌合してカセット２０の適切な向きを保証する面）、及び／又は１又は２以上の廃棄物処理デバイスの構成要素との相互作用を容易にして廃棄物処理デバイス２２の機能性を改善する、及び／又は格納中にカセット２０の入れ子式積み重ねを容易にすることができる。更に、本明細書に説明するようなカセット２０は、適切に成形された受け入れ形状及び／又は嵌合特徴部を有する廃棄物処理デバイス２２内にカセット２０を向ける適切な方法をユーザが容易に識別するように、少なくとも１つの軸線及び／又は平面に関して非対称性を提供するその外壁５４及び／又は内壁５０の周りの形状を有する。
【００２４】
図４〜６に示す実施形態では、内壁５０は、中央通路４８の形状を構成する。代替実施形態では、カセット２０は、中央通路４８の形状を構成する内壁５０の周囲の内側の構造を含むことができる。同様に、代替実施形態は、カセット２０の本体の形状を構成してカセット２０が廃棄物処理デバイスと係合する方法を支援する外壁５０の周囲の外部である構造を含むことができる。それらの形状設定特徴部は、消費者に視覚的キューを提供してカセット２０の装填及び／又は廃棄物の堆積を支援するのを助けることができる。
【００２５】
ライナー空洞４２を含むカセット２０の実施形態に関して、ライナー空洞４２を形成する壁は、ライナーフィルム４４の供給を保持するのに十分なあらゆる構成を取ることができる。例えば、壁のうちの１又は２以上は、連続的な開口部のない壁構成を有してもよい。図４は、開口部のない連続的な壁から形成されたライナー空洞４２を示している。これに代えて、ライナー空洞４２の壁のうちの１又は２以上は、不連続壁構成、例えば、それを通って延びる１又は２以上の開口を有する壁を有してもよい。図７は、内壁５０及び底壁５２の各々が連続的な壁構造を有し、外壁５４が不連続的な壁構造を有する実施形態を示し、開口５３は、リブ５５間に配置される。不連続的な壁構造を使用して、ライナー空洞４２を生成するのに必要な材料の量を低減し、それによってカセット２０の重量を低減することができる。或る実施形態では、１又は２以上の開口５３及び／又は１又は２以上のリブ５５は、相応に廃棄物処理デバイス２２において位置決めされて適切な大きさにされた相互特徴部に対して嵌合特徴部として作用する。或る実施形態では、１又は２以上の開口５３は、カセット２０の本体の面積の１０％よりも多くを覆う。或る実施形態では、１又は２以上の開口５３は、カセット２０の本体の面積の２５％よりも多くを覆う。図４〜７に示す例示的実施形態は、本発明の開示を例示するように提供されており、本発明の開示はこれに限定されない。
【００２６】
ライナー空洞４２は、一般的に、単体構造として形成することができる（例えば、射出成形、ブロー成形、熱形成などによって単体構造として形成された内壁及び外壁５０、５４、並びに底壁５２）。これに代えて、ライナー空洞４２は、互いに取り付けられて集合的にライナー空洞を生成する複数の独立部分から形成することができる。そのようなアセンブリは、接着剤、結合剤、溶接、超音波、ファスナ又は雄型及び雌型部材のような機械的手段、戻り止め、圧込、組立中に変位することができる可撓性ラッチ部材、それらの組合せなどによって達成することができる。
【００２７】
ここで図１２を参照すると、本発明のカセット２０の実施形態の全て（例えば、フィルム４１が少なくとも部分的にカセット２０内に格納されたもの及びライナー空洞４２を含まないもの）において、中央通路４８は、前縁５８、後縁６０、第１の側縁６２、第２の側縁６４、幅方向軸線６６、及び深さ方向軸線６８を有する。幅方向軸線６６及び深さ方向軸線６８は、互いに対して垂直である。幅方向軸線６６は、第１及び第２の側縁６２、６４間の距離「Ａ」を延びる。深さ方向軸線６８は、前縁５８と後縁６０間の距離「Ｂ」を延び、距離Ｂは、距離Ａよりも大きい。幅方向軸線６６は、中央通路４８の最大幅方向寸法において配置される。深さ方向軸線６８は、中央通路４８の最大深さ方向寸法において配置される。幅方向軸線６６と前縁５８間を延びる深さ方向軸線６８の部分は、距離「Ｃ」を有し、すなわち、幅方向軸線６６は前縁５８から分離され、距離Ｃは、幅方向軸線６６と前縁５８間の最大分離距離を表している。幅方向軸線６６と後縁６０間を延びる深さ方向軸線６８の部分は、距離「Ｄ」を有し、すなわち、幅方向軸線６６は後縁６０から分離され、距離Ｄは、幅方向軸線６６と後縁６０間の最大分離距離を表している。距離Ｄは距離Ｃよりも大きい。中央通路４８は、前部分７０及び後部分７２を含むとして説明することができ、前部分７０は、幅方向軸線６６の前方に配置され、後部分７２は、幅方向軸線６６の後方に配置される。第１及び第２の縁部６２、６４間の幅方向距離は、後縁６０の方向に小さくなり、又は前縁５８の方向に小さくなり、又は両方であり、すなわち、各側縁６２、６４の全体は、他方に対して平行ではない。
【００２８】
カセットの中央通路４８の形状は、ユーザが排出物を廃棄物処理デバイス２２の中に導入することができる容易さに大きく影響を及ぼす。上述の中央通路形状は、廃棄物処理デバイス２２への廃棄物の通過を容易にする形状、及び本出願人に既知の従来技術に勝る改善を表している。上述の制約内で、本発明の中央通路４８は、様々な特定の構成を取ることができる。そのような構成を示すために非限定的な例を以下に提供する。
【００２９】
ここで図１３を参照すると、第１の実施形態では、中央通路４８の形状は、主円７４及び副円７６によって構成された卵形と説明することができる。主円７４は、第１及び第２の側縁６２、６４間を延びる幅方向軸線長「Ａ」に等しい直径を有する。副円７６は、距離「Ｅ」に等しい直径を有する。この実施形態内の深さ方向軸線６８の距離Ｂは、主及び副円７４、７６の直径の合計に等しい（すなわち、Ａ＋Ｅ＝Ｂ）。これは、円７４及び７６の中心間の距離がそれぞれの円の半径の合計に等しいが、一般的な場合に、円７４及び７６の中心間の距離が半径の合計よりも大きいか又は小さい場合がある特定の非限定的実施形態を表している。弓形セグメント７８Ａ、７８Ｂは、中央通路４８の各側（例えば、空洞の両側に配置された半径「Ｇ」を有する円弧）の主円７４の周囲及び副円７６の周囲と接線方向に交差し、卵形に成形された中央通路４８の周囲を完成する。幅方向軸線６６と前縁５８間を延びる深さ方向軸線６８の部分は、２分の１Ａ（１／２Ａ）の距離を有し、すなわち、幅方向軸線６６は前縁５８から分離され、距離１／２Ａは、幅方向軸線６６と前縁５８間の最大分離距離を表している。幅方向軸線６６と後縁６０間を延びる深さ方向軸線６８の部分は、１／２ＡとＥの合計に等しい距離「Ｈ」（１／２Ａ＋Ｅ＝Ｈ）を有し、すなわち、幅方向軸線６６は後縁６０から分離され、距離Ｈは、幅方向軸線６６と後縁６０間の最大分離距離を表している。距離Ｈは、距離１／２Ａよりも大きい。この特定の中央通路４８の実施形態では、距離１／２Ａはまた、第１の側縁６２と深さ方向軸線６８間の幅方向軸線６６に沿った距離、及び第２の側縁６４と深さ方向軸線６８間の幅方向軸線６６に沿った距離である。上記にも示したように、中央通路４８は、前部分７０及び後部分７２を含むとして説明することができ、前部分７０は幅方向軸線６６の前方に配置され、後部分７２は幅方向軸線６６の後方に配置される。
【００３０】
上述のように、本発明の中央通路４８は、上述の中央通路４８の幾何学的制約内で様々な特定の構成を取ることができ、図１３に関して示して説明する特定の形状は、中央通路４８の形状の非限定的な例である。図１３に示す本発明の卵形中央通路４８の形状の変形は、例えば、主及び副円が互いに離間した卵形（それによって最大深さ方向寸法を増大させる）、又は主及び副円が互いに重なる卵形（それによって最大深さ方向寸法を縮小する）、又は複数の異なる半径によって構成された卵形、又は弓状線、スプラインなどによって構成された卵形を含んでいる。
【００３１】
ここで図１４を参照すると、第２の実施形態では、中央通路４８の形状は、円８０及び卵形８２及び／又は円８０及び／又は卵形８２の切頭部分によって構成された卵形として説明することができる。この特定の実施形態を説明する目的に対して、「卵形」は、少なくとも１つの軸線に対して対称であるあらゆる卵形湾曲であるとして定義される。本明細書に使用される場合の用語「卵形」はまた、部分的に及び／又は組合せで楕円形、扁円及び扁長形などの２つの軸線に対して対称である形状を含んでいる。円８０は、第１及び第２の側縁６２、６４間を延びる幅方向軸線長「Ａ」に等しい直径を有する。卵形８２は、副直径８４及び主直径８６（それぞれ幅方向軸線６６及び深さ方向軸線６８と一致する）を有する。副直径８４は、円８０の直径に等しい。卵形の主直径８６の２分の１（距離「Ｊ」として識別される）は、円の半径（すなわち、Ａ／２）よりも大きい。この実施形態の深さ方向軸線６８の距離Ｂは、円直径の２分の１（すなわち、Ａ／２）プラス距離Ｊの合計に等しい（すなわち、１／２Ａ＋Ｊ＝Ｂ）。幅方向軸線６６と前縁５８間を延びる深さ方向軸線６８の部分は、距離２分の１Ａ（１／２Ａ）を有し、すなわち、幅方向軸線６６は前縁５８から分離され、距離１／２Ａは、幅方向軸線６６と前縁５８間の最大分離距離を表している。幅方向軸線６６と後縁６０間を延びる深さ方向軸線６８の部分は、距離「Ｊ」に等しく、すなわち、幅方向軸線６６は後縁６０から分離され、距離Ｊは、幅方向軸線６６と後縁６０間の最大分離距離を表している。距離Ｊは、或る実施形態では、卵形８２の主直径８６の半分である。距離Ｊは、距離１／２Ａよりも大きい。上記にも示したように、中央通路４８は、前部分７０及び後部分７２を含むとして説明することができ、前部分７０は幅方向軸線６６の前方に配置され、後部分７２は幅方向軸線６６の後方に配置される。
【００３２】
上述のように、上記実施形態は、本発明の開示による中央通路形状の非限定的な例を表している。提供した中央通路４８の例は、深さ方向軸線６８に対して平面を定める中間点に対して対称であり、他の軸線に対して反射対称の欠如を示し、すなわち、１つの対称軸線が存在するに過ぎない。一実施形態では、カセットは、深さ方向軸線に対して対称である。別の実施形態では、カセットは、幅方向軸線に対して対称である。本発明のカセット２０は、対称形状を有する中央通路４８を有することに限定されない。
【００３３】
他の実施形態では、卵形状は、ほぼ卵形状を生成する１又は２以上のスプラインセグメントの組合せとすることができる。例えば、１又は２以上のスプラインは、カセット２０の前縁５８を構成するほぼ弓形形状を生成するように構成することができる。１又は２以上のスプラインは、カセット２０の後縁６０を構成するほぼ弓形形状を生成するように構成することができる。例えば、４つのスプラインは、第１のスプライン４００及び第２のスプライン４０２がほぼ同じ形状であるように接続することができ、第３のスプライン４０４及び第４のスプライン４０６は、ほぼ同じ形状であるが、第１及び第２のスプラインの形状とは異なっている。スプラインのこの例示的組合せは、深さ方向軸線に対して対称性を提供する。或る実施形態では、カセット２０は、カセット２０の最大幅方向寸法４１０がカセット２０の前縁５８とカセット２０長さの中間点４０８の間にあるように成形することができる（前縁５８を構成するスプラインの構成により）。他の実施形態では、６、８、１０などのように４よりも多いスプラインが存在して形状を増強することができる。代替実施形態では、１つのスプラインが別のスプラインに対応しないように奇数のスプラインが存在する。或る実施形態では、１よりも多いスプラインが、前縁５８と最大長手方向寸法４１２の中間点との間に最大幅方向寸法４１０を与える。
【００３４】
或る実施形態では、中央通路４４の最大幅方向寸法は、単純円のような非卵形状の最大幅方向寸法４１０よりも大きい。更に別の実施形態では、中央通路４４の最大幅方向寸法４１０は、単純円のような非卵形状の最大幅方向寸法よりも約１０％大きい。更に別の実施形態では、中央通路４４の最大幅方向寸法４１０は、単純円のような非卵形状の最大幅方向寸法よりも１０％を超えて大きい。他の実施形態では、中央通路の最大深さ方向寸法４１２は、単純円のような非卵形状の深さ方向寸法よりも大きい。他の実施形態では、中央通路の最大深さ方向寸法４１２は、単純円のような非卵形状の最大深さ方向寸法よりも約１０％大きく、又は１０％を超えて大きい。更に別の実施形態では、最大深さ方向寸法は、最大幅方向寸法を少なくとも５％、少なくとも１０％、及び／又は少なくとも２０％超える。或る実施形態では、最大深さ方向寸法４１２は、カセット２０の深さ方向軸線に位置合わせする。或る実施形態では、最大深さ方向寸法４１２は、（ａ）廃棄物処理デバイス２２の中心軸線に位置合わせし、及び／又は（ｂ）廃棄物処理デバイス２２の前縁の垂直二等分線である。或る実施形態では、最大幅方向寸法４１０は、それが（ａ）廃棄物処理デバイス２２の幅方向中心軸線の前方にあり、及び／又は（ｂ）廃棄物処理デバイス２２の前縁に平行であるように廃棄物処理デバイス２２の前縁の近くにある。
【００３５】
更に別の実施形態では、スプラインは、中央通路の面積を最大にしておむつのような扱いにくく、大きく、及び／又は奇妙な形状の廃棄物又はスクープのような廃棄物処理装具の挿入の難しさを低減する。
【００３６】
ライナーフィルム４４は、所定長さを延びる閉じた周囲構成に形成されたフィルムである。閉じた周囲構成は、ライナー材料が長手方向に延びる連続周囲を有するようなものであり、例えば、構成は、「管状」として説明することができる。ライナーフィルム４４の断面構成（すなわち、ＸＹ平面の断面周囲形状）は、特定の構成に応じて異なる場合がある。ライナーフィルム４４は、以下に説明するように、ライナー空洞４２内に格納することができ、ライナー空洞４２から容易に引き出すことができ、かつ閉じた構成（例えば、結ばれた）に形成することができる可撓性材料から構成される。可撓性プラスチックフィルム（例えば、熱的に安定なポリマーフィルム又は熱源が印加されると収縮するポリマーフィルム）は、満足できるライナーフィルム４４の例である。ライナーフィルム４４は、ポリエチレン、ポリプロピレン、ポリエステル、ＥＶＡ、ＥＶＯＨ、ナイロン、タイレジンのうちの１又は２以上の層を含むことができ、炭酸カルシウム、タルク、二酸化チタン、及びスリップ剤のような添加剤を更に含むことができる。ライナーフィルム６０の実施形態は、炭素、ゼオライト、シリカ、及び他の匂い吸着体、並びに匂い吸収体、その他を含む香料のような匂いを隠し、匂いを軽減する薬剤を含むことができる。
【００３７】
ここで図５、６、及び８を参照すると、上述のように、ライナー空洞４２は、ライナーフィルム４４の供給を保持するような大きさにされた成形空洞を構成する。ライナーフィルム４４は、ライナーフィルム４４をライナー空洞４２から引き出すことを可能にする向きでライナー空洞４２内に格納される。図５、６、及び８に示す実施形態では、カセット２０は、ライナーフィルム４４をライナー空洞開口部５６に配置された開口部９０を通じてライナー空洞４２から引き出すことができるように構成され、例えば、図５及び６に図式的に示すカセット２０は、ライナー空洞開口部５６を実質的に覆う上部パネル８９を含み、ライナーフィルム４４がライナー空洞４２から引き出される開口部９０を生成する。図８は、ライナー空洞開口部５６を実質的に覆う上部パネル８９を含み、ライナーフィルム４４がライナー空洞４２から引き出される開口部９０を生成する。上部パネル８９はまた、中央通路４８への廃棄物廃棄を容易にする面取り面９１を含んでいる。上述のように、本発明のカセット２０は、いずれの特定のライナーフィルム経路構成にも限定されない。本発明のカセット２０はまた、ライナーフィルム４４をユーザによる必要性に応じてライナー空洞４２から容易に引き出すことができるのであれば、ライナー空洞４２内にライナーフィルム４４を配置するいずれの特定の方式にも限定されない。
【００３８】
本発明のカセット２０は、必要に応じて廃棄物処理デバイス２２から取り出して取り替えることができる。例えば、図１〜３に示す廃棄物処理デバイスの実施形態では、カセット２０は、例えば、蓋２８を通じて廃棄物処理デバイス２２を開くことによって取り替えることができ、空のカセット２０をハウジング２４から取り出し（必要に応じて）、未使用カセットがハウジング２４の中に配置される。ユーザは、前縁５８が廃棄物処理デバイス２２の前端と係合するように、廃棄物処理デバイス２２内でカセット２０を向ける。ライナー空洞４２を含むカセット２０の実施形態では、ユーザは、次に、所定長さのライナーフィルム４４をライナー空洞４２から引き出し、中央通路４８を通じて内側ストレージ領域４１の中にそれを給送し、その結果、ライナーフィルム４４の自由端は、ビン２６の下端の近くに配置されるようになる。次に、ユーザは、ライナーフィルム４４の自由端を閉じてライナーフィルムの「バッグ」を構成して（例えば、ライナーフィルム４４を自由端に隣接する結び目の中に結ぶことにより）ビン２６を閉鎖し、ユーザは、任意的にライナーフィルム４４を閉じて中央通路４８を通じてそれを給送する前に「バッグ」を形成することができる。この構成では、廃棄物処理デバイス２２（及び具体的にはライナーフィルム４４）は、以下に限定されないが、使い捨ておむつ、おむつ、トレーニングパンツ、女性のための衛生製品、失禁製品、及びごみのようなペット排泄物及び／又は使い捨てペット排泄物パッド及び／又は拭き取り材のような廃棄物を受け入れる状態になっている。重力は、ライナーフィルムのバッグの中に堆積した廃棄物をライナーフィルムのバッグの閉じた自由端の方向に押圧する。ライナーフィルムのバッグが廃棄物で溢れる時に、ライナーフィルム４４の上端は、ライナーフィルム４４の供給から分離され（例えば、格納された廃棄物の上方の点でライナーフィルム４４を切断することにより）、バッグは、廃棄物処理デバイス２２から取り外される。次に、分離したばかりのライナーフィルム４４の端部を閉じて（例えば、締め付け又はファスナにより）バッグを廃棄することができる。次に、処理が繰り返され、例えば、ユーザは、ライナー空洞４２から別の長さのライナーフィルム４４を引き出し、カセット２０の中央通路４８を通じてそれをビン２６の中に引き込む。ユーザは、（前又は後で）ライナー材料の自由端を閉じて新しいライナーフィルムのバッグを形成する。
【００３９】
図１６Ａ〜１６Ｂに示すように、カセット２０は、フィルムシール９８を有する。フィルムシール９８は、開口部９０の近くに位置決めされたライナーフィルム４４の自由端に少なくとも部分的に取り付けられる。図１６Ａにあるような或る実施形態では、フィルムシール９８は、上部パネル８９及び／又はカセットの外壁５４、又は開口部９０を構成するあらゆる他の縁部、壁、又はパネルに少なくとも部分的に取り付けられる。或る実施形態では、フィルムシール９８は、カセットの上部及び／又はカセットの底部、又は中央通路に沿った様々な点に取り付けることができる。フィルムシールは、点、複数の点に、又はライナーフィルム４４の壁、縁部、及び／又は面全体に取り付けることができる。フィルムシール９８は、カセット２０が最初に使用される時にライナーフィルム４４を結ぶ必要性を回避するという点で有利である。或る実施形態では、フィルムシール９８は、（ａ）カセット２０を拘束し、（ｂ）ライナー空洞４２から開口部９０を通じてライナーフィルム４４を引っ張り、（ｃ）フィルム４４内の結び目を結ぶことによってバッグの閉鎖端を形成し、（ｄ）廃棄物処理デバイス２２を通じてフィルムを進めなければならないこととは反対に、ユーザが中央通路４８の上でカセットの上部に対して矢印９９が表す下方に単に押すことを可能にするという点で更に有利である。フィルムシール９８は、矢印９９によって示すように単に押してそれらのステップの全て４つを達成する。
【００４０】
フィルムシール９８は、ライナーフィルム４４に取り付けてそのような重量をバッグの破損なしに支持することができることを保証する。フィルムシール９８は、熱、糊、超音波、及びフィルム材料を互いに付着させ、溶融し、結合するか又は他に取り付ける他の公知の手段によって達成することができる。或る実施形態では、フィルムシール９８は、紙、パルプ、樹脂、箔、接着剤、又は結合材、又はその組合せから作られる。
【００４１】
或る実施形態では、使用前及び使用中に、フィルム４４は、フィルム４４を消耗するまで少なくとも部分的にフィルム空洞４２に閉じ込められる。他の実施形態では、フィルム４４は、使用前及び使用中に、少なくとも部分的に中央通路４８内に位置決めされる。それらの実施形態では、使用前に、フィルム４４の長さは、廃棄物処理デバイス２２の長さよりも小さいか又はそれにほぼ等しく中央通路４８内に入れ子にされる。ユーザは、直接的に（手動で押して）又は間接的に（すなわち、廃棄物処理デバイス２２を通じて機械的に）フィルムシール９８を破壊して中央通路４８内のフィルム４４の長さが廃棄物処理デバイス２２の内側ストレージ領域４１の中に下方に延びることを可能にする。それらの実施形態では、カセット２０は、フィルム空洞４２及び中央通路４８が両方ともフィルム４４の格納を可能にし、従って、フィルム４４のより長い長さを任意的に保持することを可能にする。例えば、典型的なカセット２０が、約２４０〜約２８０の乳児用おむつを集めるのに十分なフィルム４４を保持し、典型的な廃棄物処理デバイス２２が、空にされることを要求する前に約３５〜１００の新生児用おむつを保持して約３〜約７のペール一杯のおむつを受け入れる場合に、この実施形態のカセット２０は、他にカセット２０を修正することなく、約２７５〜約３８５の新生児用おむつ又は少なくとも約１０％多い容量を保持する。他の実施形態では、少なくとも約１５％多い容量を提供する。更に別の実施形態では、少なくとも約２５％多い容量を提供する。すなわち、廃棄物処理デバイス２２は、カセット２０が消耗して交換を必要とする前に追加の一回で容量に達する。
【００４２】
多くの廃棄物処理デバイス２２は、ピボット回転して開く蓋２８を有する。一部の廃棄物処理デバイス２２は、蓋２８が廃棄物を受け入れるための開口部の後部に完全にピボット回転しないように設計される。その結果、蓋２８は、廃棄物処理デバイス２２内で廃棄物の配置の障害になる可能性があり、例えば、廃棄物が通過する開口部の後部分は、蓋２８によって部分的に覆われ、又は少なくともデバイス２２の前に立っているユーザによって部分的に覆われるように少なくとも見える場合がある。開口部の後部に完全に回転することができる蓋２８を有する廃棄物処理デバイス２２でも、（ａ）完全に足踏みペダル３０を押し下げて後部蓋位置を達成し、又は（ｂ）完全に常道を外れて蓋を手動で移動する及び／又はその位置に蓋を維持／保持して障害になっている蓋を排除するユーザに頼るものである。足踏みペダル３０が完全に押し下げられていない場合に、廃棄物が通過する開口部の後部分は、部分的に覆うことができる。本発明のカセット２０は、卵形に成形された中央通路４８を利用することによってこの問題に対処する。卵形状は、大きい前方幅方向寸法及びより長い深さ方向寸法を提供し、これは、中央通路４８の中心を通じて不規則な形状を有する排出物（例えば、第２の寸法９７よりも長い第１の寸法９５を有する包まれた使用済みおむつ９３−図１５）の堆積を共同で可能にする。大きい幅方向寸法（例えば、それが卵形開口部の場合に置かれると考えられる場所の前方に配置された）は、蓋が常道を外れて完全に回転されるか否かに関係なく、蓋２８から干渉されないで廃棄物パッケージを堆積させることを容易にする。最大深さ方向寸法は、廃棄物処理デバイス２２の機能を高めて不規則な大きさの排出物を受け入れる。卵形に成形された中央通路４８はまた、廃棄物の通過を妨げる可能性がある前方コーナ（例えば、９０度又はそれ未満の挟角を有するコーナ）を取り除く。卵形に成形された中央通路はまた、現在利用可能なライナーフィルム４４を使用することを可能にし、固有の断面（すなわち、ＸＹ平面内の）形状を有するライナーフィルム４４に対する必要性を排除する。
【００４３】
本発明の開示はまた、カセット２０の外側形状が卵形に成形された、例えば、中央通路４８（図４、５、及び７を参照）に関して上述したような形状にされたカセット２０を考えている。従って、外側形状（すなわち、外壁５４、外側縁部５５、その他）も、前縁、後縁、第１の側縁及び第２の側縁を有し、並びに上述のように卵形及び円によって構成される。多くの廃棄物処理デバイスは、挿入中にカセットの正確な向きに関して消費者の混乱をきたす蓋及び／又はカセット挿入インタフェース（カセットが廃棄物処理デバイスに挿入されてその中に閉じ込められることになる）を有する。一部の事例では、Ｍｏｗｅｒｓ他に付与された米国特許出願公開第２００８／０２７２４１０号明細書に示すように、公知のカセットは、誤って上下逆に設置される可能性がある。このエラーを回避するために、本明細書に説明するような本発明のカセット２０は、どのようにカセットを廃棄物処理デバイスに適正に挿入すべきかをユーザが容易に見ることを支援することができる。カセット２０の適正な設置は、廃棄物処理デバイス２２の適正な機能性及びそこから生じる利益を促進する。従って、或る実施形態では、本発明のカセット２０の外側形状は、卵形に成形することができ、かつ卵形状と嵌合するように構成された廃棄物処理デバイス２２内のカセットインタフェース構造に受け入れることができる。或る実施形態では、中央通路４８の形状は、廃棄物処理デバイス２２の挿入インタフェースに適合する。例えば、ユーザは、カセット２０の周囲形状の相違を識別して適正な向きを決定する。或る実施形態では、カセット２０の外側形状及び中央通路４８形状の両方は、卵形に成形される。或る実施形態では、カセット２０の外側形状及び中央通路４８形状は、廃棄物処理デバイス２２の挿入インタフェースの類似及び／又は適合形状に対応する。
【００４４】
更に別の実施形態では、カセット２０の外側縁部５５及び中央通路４８形状は、類似の卵形状を有する場合がある（すなわち、両方とも卵形の形状であるがサイズ及び／又は正確な構成は異なる）。中央通路４８と外側縁部５５間（すなわち、ＸＹ平面内）の距離は、長さが異なる少なくとも２つの距離が存在するようにカセット２０の周囲に沿って変わる場合がある。或る実施形態では、中央通路４８は、ライナー空洞４２の幅が変わるように外側縁部５５の卵形状からオフセットされた卵形を有する（すなわち、両方の卵形が、それらの中間点４０８が位置合わせされるように互いに対して中心に置かれた場合に、内側卵形が、中間点がもはや位置合わせされないたように幅方向及び／又は深さ方向軸線に沿って移動される）。更に他の実施形態では、中央通路４８形状は、一方が卵形であり、他方が異なる形状（すなわち、湾曲、曲線、円、卵形、楕円形、超楕円又は正方円、菱形、三角形、台形、多角形、及びその組合せ）であるようにカセット２０の外側形状とは異なる場合がある。当業者は、本発明の開示に説明して教示した複数の態様及びソリューションが存在することを理解する。
【００４５】
本発明は、例示的実施形態を参照して説明したが、本発明の範囲から逸脱することなく様々な変更を行うことができ、本発明の要素を均等物で置換することができることは当業者によって理解されるであろう。これに加えて、本発明の教示に対してその本質的な範囲から逸脱することなく特定の状況又は内容を適応させるために多くの修正を行うことができる。例えば、或る実施形態では、カセットの形状は、最大距離ＡがＢよりも大きい及び／又は距離ＣがＤよりも大きいように回転又はひっくり返すことができると考えられる。従って、本発明は、この発明を実施するために考えられた最良のモードとして本明細書に開示する特定の実施形態に限定されないように意図している。
【符号の説明】
【００４６】
２０  カセット
４２  ライナー空洞
４８  中央通路
５６  開口部
５７  上面縁部
【図１】
2019508344.tif 000003
【図２】
2019508344.tif 000004
【図３】
2019508344.tif 000005
【図４】
2019508344.tif 000006
【図５】
2019508344.tif 000007
【図６】
2019508344.tif 000008
【図７】
2019508344.tif 000009
【図８】
2019508344.tif 000010
【図９】
2019508344.tif 000011
【図１０】
2019508344.tif 000012
【図１１】
2019508344.tif 000013
【図１２】
2019508344.tif 000014
【図１３】
2019508344.tif 000015
【図１４】
2019508344.tif 000016
【図１５】
2019508344.tif 000017
【図１６Ａ】
2019508344.tif 000018
【図１６Ｂ】
2019508344.tif 000019
【国際調査報告】
2019508344.tif 000020
2019508344.tif 000021
2019508344.tif 000022